(57)【要約】【課題】  発光表示部、制御部、記憶部などが一体的に組み込まれる発光表示装置でありながら、ドット数が異なるフォントを選択的に表示できるようにし、表示品質を低下させることなく、文字表示桁数や文字表示段数の変更を可能にする。【解決手段】  発光ダイオード４の点灯により文字をドット表示可能な発光表示部２と、フォント情報、表示情報及び制御情報を記憶する記憶部６と、表示情報に含まれる文字コードを所定のフォントに変換して発光表示部２に表示させる制御部７とが組み込まれた発光表示装置１であって、記憶部６は、縦ドット数及び／又は横ドット数が相違する複数種類のフォント情報を記憶し、制御部７は、表示情報及び／又は制御情報に含まれるフォント指定情報、表示桁数指定情報及び／又は表示段数指定情報に応じてフォントの切り換えを行う。【選択図】        図４
2005234076.tif 000002
【特許請求の範囲】
【請求項１】
多数の発光体が縦横にマトリクス状に配置され、各発光体の点灯により少なくとも文字をドット表示可能な発光表示部と、フォント情報、表示情報及び制御情報を記憶する記憶部と、前記表示情報に含まれる文字コードを所定のフォントに変換して前記発光表示部に表示させる制御部とが組み込まれた発光表示装置であって、
前記記憶部は、縦ドット数及び／又は横ドット数が相違する複数種類のフォント情報を記憶し、
前記制御部は、前記表示情報及び／又は前記制御情報に含まれるフォント指定情報、表示桁数指定情報及び／又は表示段数指定情報に応じてフォントの切り換えを行うことを特徴とする発光表示装置。
【請求項２】
前記記憶部は、縦ドット数及び／又は横ドット数が整数倍となる複数種類のフォント情報を記憶することを特徴とする請求項１記載の発光表示装置。
【請求項３】
前記記憶部は、縦ドット数が相違し、かつ横ドット数が等しい複数種類のフォント情報を記憶することを特徴とする請求項１又は２記載の発光表示装置。
【請求項４】
前記記憶部は、縦ドット数が等しく、かつ横ドット数が相違する複数種類のフォント情報を記憶することを特徴とする請求項１〜３のいずれかに記載の発光表示装置。
【請求項５】
前記発光表示部の縦ドット数は、前記記憶部に記憶される各種フォント情報の縦ドット数で割り切れる数であることを特徴とする請求項１〜４のいずれかに記載の発光表示装置。
【請求項６】
前記発光表示部の横ドット数は、前記記憶部に記憶される各種フォント情報の横ドット数で割り切れる数であることを特徴とする請求項１〜５のいずれかに記載の発光表示装置。
【発明の詳細な説明】
【技術分野】
【０００１】
本発明は、多数の発光体を縦横にマトリクス状に配置した発光表示部に、文字などをドット表示する発光表示装置に関し、特に、発光表示部、制御部、記憶部などが一体的に組み込まれ、店舗の店頭などで使用される発光表示装置に関する。
【背景技術】
【０００２】
多数の発光体を縦横にマトリクス状に配置した発光表示部に、文字などをドット表示する発光表示装置が知られている。この種の発光表示装置としては、ビルの外壁やスタジアムに設けられ、主に画像の表示を行う大型スクリーン用のものと、店頭などに設けられ、主に文字の表示を行う店舗用のもの（例えば、特許文献１参照。）とに大別される。大型スクリーン用の発光表示装置は、通常、多数の発光体が配置される発光表示部と、制御部や記憶部を備えるコントローラとが分離しており、コントローラの制御プログラムやフォント情報は、適宜更新が可能となっている。
【０００３】
これに対して店舗用の発光表示装置は、発光表示部、制御部、記憶部などを一体的に組み込んで構成されており、制御プログラムやフォント情報の更新は想定していない。そのため、店舗用の発光表示装置を提供するメーカは、フォントのドット数、文字表示桁数、文字表示段数などが相違する様々な製品をラインナップし、用途に応じた選択を可能にしている。例えば、１２×１２ドットのフォントを６桁４段で表示するもの、１６×１６ドットのフォントを４桁３段で表示するもの、２４×２４ドットのフォントを３桁２段で表示するものなどをラインナップしている。
【特許文献１】特開２０００−５６７１０号公報
【発明の開示】
【発明が解決しようとする課題】
【０００４】
しかしながら、フォントのドット数、文字表示桁数、文字表示段数などが相違する様々な発光表示装置をラインナップすると、製品毎の専用部品が多くなり、製品の製造コストが増加するという問題がある。
また、ユーザとしては、用途に応じた製品の選択が可能であるものの、製品購入後は、フォントのドット数、文字表示桁数、文字表示段数などの変更が困難であるため、用途の変更などに柔軟に対応できないという問題がある。
尚、店舗用発光表示装置のなかには、倍角表示機能などにより、文字の表示サイズを変更できるようにしたものがあるが、倍角表示機能は、フォントの１ドットを、複数の発光体で大きく表示するに過ぎないため、文字のギザギザが目立ち、視認性に劣るという問題がある。
【課題を解決するための手段】
【０００５】
本発明は、上記の如き実情に鑑みこれらの課題を解決することを目的として創作されたものであって、多数の発光体が縦横にマトリクス状に配置され、各発光体の点灯により少なくとも文字をドット表示可能な発光表示部と、フォント情報、表示情報及び制御情報を記憶する記憶部と、前記表示情報に含まれる文字コードを所定のフォントに変換して前記発光表示部に表示させる制御部とが組み込まれた発光表示装置であって、前記記憶部は、縦ドット数及び／又は横ドット数が相違する複数種類のフォント情報を記憶し、前記制御部は、前記表示情報及び／又は前記制御情報に含まれるフォント指定情報、表示桁数指定情報及び／又は表示段数指定情報に応じてフォントの切り換えを行うことを特徴とする。このようにすると、発光表示部、制御部、記憶部などが一体的に組み込まれる発光表示装置でありながら、ドット数が異なるフォントを選択的に表示できるだけでなく、文字表示桁数や文字表示段数を変更することが可能になる。これにより、発光表示装置のメーカは、ラインナップする製品の種類を減らし、製造コストを削減することができる。また、ユーザとしては、製品購入後であっても、フォントのドット数、文字表示桁数、文字表示段数などを任意に選択することにより、用途の変更などに柔軟に対応することができる。また、文字の表示サイズを変更する場合、文字サイズに適したドット数のフォントを適用することができるので、文字のギザギザが目立ちにくく、視認性に優れた文字表示を行うことができる。
また、前記記憶部は、縦ドット数及び／又は横ドット数が整数倍となる複数種類のフォント情報を記憶することを特徴とする。このようにすると、フォントの変更により、文字表示桁数や文字表示段数を整数倍で変更することが可能になるので、フォント指定による桁数、段数の自動的な切り換えや、桁数指定や段数指定によるフォントの自動的な切り換えを容易に行うことができる。
また、前記記憶部は、縦ドット数が相違し、かつ横ドット数が等しい複数種類のフォント情報を記憶することを特徴とする。このようにすると、文字表示桁数を変えずに、文字表示段数を変更することが可能になるので、発光表示装置の表現力を高めることができる。
また、前記記憶部は、縦ドット数が等しく、かつ横ドット数が相違する複数種類のフォント情報を記憶することを特徴とする。このようにすると、文字表示段数を変えずに、文字表示桁数を変更することが可能になるので、発光表示装置の表現力を高めることができる。
また、前記発光表示部の縦ドット数は、前記記憶部に記憶される各種フォント情報の縦ドット数で割り切れる数であることを特徴とする。このようにすると、フォントを切り換えても、発光表示部のドットを無駄なく使用した文字表示を行うことができる。
また、前記発光表示部の横ドット数は、前記記憶部に記憶される各種フォント情報の横ドット数で割り切れる数であることを特徴とする。このようにすると、フォントを切り換えても、発光表示部のドットを無駄なく使用した文字表示を行うことができる。
【発明を実施するための最良の形態】
【０００６】
次に、本発明の実施形態を図面に基づいて説明する。図１及び図２において、１は店舗の店頭などで使用される発光表示装置であって、該発光表示装置１には、発光表示部２及び制御基板３が一体的に組み込まれている。発光表示部２は、多数の発光ダイオード（発光体）４が縦横にマトリックス状に配列（例えば縦ドット数１２×横ドット数１２）された表示基板５を、縦横に所定枚数並べて構成されており、全体のサイズやドット数は、表示基板５のサイズ、ドット数、使用枚数などに応じて規定される。例えば、図１及び図２に示す発光表示部２は、縦ドット数１２×横ドット数１２の表示基板５を、縦に４枚、横に６枚並べて形成され、全体として、縦ドット数４８×横ドット数７２のドット表示画面を構成している。
【０００７】
尚、発光ダイオード４としては、単色発光のものだけではなく、フルカラー発光のものが使用できる。また、赤色、緑色及び青色の発光ダイオード４で１表示ドットを構成し、これらの階調制御によりフルカラー表示を行うようにしてもよい。
【０００８】
図２に示すように、制御基板３は、フォント情報（各種文字のドット座標データ）、表示情報（文字コード及び制御コマンドを含む表示指令データ）及び制御情報（制御パラメータなどの設定データ）を記憶する記憶部６と、記憶部６の表示情報に含まれる文字コードを所定のフォントに変換して発光表示部２に表示させる制御部７と、制御部７の表示制御信号を発光表示部２に転送する駆動部８と、記憶部６を外部記憶手段９や外部制御手段１０に接続するための接続部１１とを備えて構成されている。外部記憶手段９としては、ＩＣカード、磁気ディスク、光ディスクなどの各種記憶媒体を適用でき、また、外部制御手段１０としては、専用リモコン、パーソナルコンピュータ、携帯情報端末、携帯電話機などの制御機器を適用することができる。また、接続部１１と外部制御手段１０の接続媒体としては、ケーブル、公衆電話回線、電波、赤外線などを用いることができる。
【０００９】
記憶部６は、縦ドット数や横ドット数が相違する複数種類のフォント情報を記憶している。例えば、本実施形態では、縦ドット数１２×横ドット数１２の第一フォント情報と、縦ドット数１２×横ドット数１６の第二フォント情報と、縦ドット数２４×横ドット数２４の第三フォント情報とを記憶部６に記憶してある。このように、縦ドット数や横ドット数が相違する複数種類のフォント情報を記憶すると、発光表示部２、制御部７、記憶部６などが一体的に組み込まれる発光表示装置１であっても、ドット数が異なるフォントを選択的に表示できるだけでなく、文字表示桁数や文字表示段数を変更することが可能になる。
【００１０】
また、記憶部６には、縦ドット数や横ドット数が整数倍となる複数種類のフォント情報（例えば、前述の第一フォント情報と第三フォント情報）を記憶することが好ましい。このようにすると、フォントの変更により、文字表示桁数や文字表示段数を整数倍で変更することが可能になる。
【００１１】
また、記憶部６には、縦ドット数が相違し、かつ横ドット数が等しい複数種類のフォント情報（例えば、前述した第一フォント情報と第二フォント情報）を記憶することが好ましい。このようにすると、文字表示桁数を変えずに、文字表示段数を変更することが可能になる。
【００１２】
また、記憶部６には、縦ドット数が等しく、かつ横ドット数が相違する複数種類のフォント情報（例えば、横ドット数１２×縦ドット数１２のフォント情報と、横ドット数１６×縦ドット数１２のフォント情報）を記憶することが好ましい。このようにすると、文字表示段数を変えずに、文字表示桁数を変更することが可能になる。
【００１３】
また、発光表示部２の縦ドット数や横ドット数は、記憶部６に記憶される各種フォント情報の縦ドット数や横ドット数で割り切れる数であることが好ましい。このようにすると、フォントを切り換えても、発光表示部２のドットを無駄なく使用した文字表示を行うことができる。
【００１４】
次に、制御部７によるフォントの切り換え処理について、フローチャートを参照して説明する。尚、図３のフローチャートでは、記憶部６の表示情報に含まれるフォント指定情報、表示桁数指定情報、表示段数指定情報などに応じてフォントの切り換えを行うが、記憶部６の制御情報に含まれるフォント指定情報、表示桁数指定情報、表示段数指定情報などに応じてフォントの切り換えを行うようにしてもよい。
【００１５】
図３に示すように、フォント切り換えルーチンでは、まず、表示情報に含まれる制御コマンドを読み込む。読み込んだ制御コマンドがフォント指定コマンドである場合は、適用フォントを指定フォントに切換えると共に、適用表示桁数及び適用表示段数を指定フォントに適合する数値に切換える。例えば、フォント指定コマンドで前述した第一フォント（１２×１２）が指定された場合には、図４の（Ａ）に示すように６桁４段表示を適用し、第二フォント（１２×１６）が指定された場合には、図４の（Ｂ）に示すように６桁３段表示を適用し、第三フォント（２４×２４）が指定された場合には、図４の（Ｃ）に示すように３桁２段表示を適用する。
【００１６】
読み込んだ制御コマンドが表示桁数指定コマンドである場合は、指定された表示桁数に適合するフォントを適用すると共に、適用表示桁数及び適用表示段数を適用フォントに適合する数値に切換える。例えば、表示桁数指定コマンドで６桁が指定された場合には、図４の（Ａ）、（Ｂ）に示すように、前述した第一フォント（１２×１２）又は第二フォント（１２×１６）を適用すると共に、６桁４段表示又は６桁３段表示を適用し、表示桁数指定コマンドで３桁が指定された場合には、図４の（Ｃ）に示すように、前述した第三フォント（２４×２４）を適用すると共に、３桁２段表示を適用する。ただし、６桁指定の場合は、上述のように第一フォントと第二フォントが競合するため、優先的に適用するフォントを予め決めておくことが好ましい。また、桁数指定及び段数指定を同一コマンド内で行うようにすれば、上記のような競合を回避することができる。
【００１７】
読み込んだ制御コマンドが表示段数指定コマンドである場合は、指定された表示段数に適合するフォントを適用すると共に、適用表示桁数及び適用表示段数を適用フォントに適合する数値に切換える。例えば、表示段数指定コマンドで４段が指定された場合には、図４の（Ａ）に示すように、前述した第一フォント（１２×１２）を適用すると共に、６桁４段表示を適用し、表示段数指定コマンドで３段が指定された場合には、図４の（Ｂ）に示すように、前述した第二フォント（１２×１６）を適用すると共に、６桁３段表示を適用し、表示桁数指定コマンドで２段が指定された場合には、図４の（Ｃ）に示すように、前述した第三フォント（２４×２４）を適用すると共に、３桁２段表示を適用する。
【００１８】
叙述の如く構成された本実施形態の発光表示装置１は、多数の発光ダイオード４が縦横にマトリクス状に配置され、各発光ダイオード４の点灯により少なくとも文字をドット表示可能な発光表示部２と、フォント情報、表示情報及び制御情報を記憶する記憶部６と、表示情報に含まれる文字コードを所定のフォントに変換して発光表示部２に表示させる制御部７とが組み込まれた発光表示装置１であって、記憶部６は、縦ドット数及び／又は横ドット数が相違する複数種類のフォント情報を記憶し、制御部７は、表示情報及び／又は制御情報に含まれるフォント指定情報、表示桁数指定情報及び／又は表示段数指定情報に応じてフォントの切り換えを行うように構成されているため、発光表示部２、記憶部６、制御部７などが一体的に組み込まれる発光表示装置１でありながら、ドット数が異なるフォントを選択的に表示できるだけでなく、文字表示桁数や文字表示段数を変更することが可能になる。
【００１９】
これにより、発光表示装置１のメーカは、ラインナップする製品の種類を減らし、製造コストを削減することができる。また、ユーザとしては、製品購入後であっても、フォントのドット数、文字表示桁数、文字表示段数などを任意に選択することにより、用途の変更などに柔軟に対応することができる。また、文字の表示サイズを変更する場合、文字サイズに適したドット数のフォントを適用することができるので、文字のギザギザが目立ちにくく、視認性に優れた文字表示を行うことができる。
【００２０】
また、記憶部６は、縦ドット数及び／又は横ドット数が整数倍となる複数種類のフォント情報を記憶するため、フォントの変更により、文字表示桁数や文字表示段数を整数倍で変更することが可能になる。これにより、フォント指定による桁数、段数の自動的な切り換えや、桁数指定や段数指定によるフォントの自動的な切り換えを容易に行うことができる。
【００２１】
また、記憶部６は、縦ドット数が相違し、かつ横ドット数が等しい複数種類のフォント情報を記憶するため、文字表示桁数を変えずに、文字表示段数を変更することが可能になる。また、縦ドット数が等しく、かつ横ドット数が相違する複数種類のフォント情報を記憶してもよく、この場合には、文字表示段数を変えずに、文字表示桁数を変更することが可能になる。
【００２２】
また、発光表示部２の縦ドット数や横ドット数を、記憶部６に記憶される各種フォント情報の縦ドット数や横ドット数で割り切れる数とした場合には、フォントを切り換えても、発光表示部２のドットを無駄なく使用した文字表示を行うことができる。
【００２３】
尚、本発明は、前記実施形態に限定されないことは勿論である。例えば、発光表示部のドット数や、フォントのドット数は、適宜変更が可能である。また、記憶する複数種類のフォント情報としては、ドット数が相違するものだけでなく、字体（ゴシック、明朝など）が相違するものを含めてもよい。
【図面の簡単な説明】
【００２４】
【図１】発光表示装置の正面図である。
【図２】発光表示装置の構成を示すブロック図である。
【図３】フォント切り換え処理手順を示すフローチャートである。
【図４】発光表示装置の動作説明図である。
【符号の説明】
【００２５】
１    発光表示装置
２    発光表示部
３    制御基板
４    発光ダイオード
５    表示基板
６    記憶部
７    制御部
８    駆動部
９    外部記憶手段
１０  外部制御手段
１１  接続部
【図１】
2005234076.tif 000003
【図２】
2005234076.tif 000004
【図３】
2005234076.tif 000005
【図４】
2005234076.tif 000006